(57)【要約】      （修正有）【目的】【課題】強悪犯罪者がルーバ羽を破壊して室内への侵入するのを阻止できる防犯に好適な建物用ルーバを提供する。【解決手段】たて枠間に、または横枠間にその長手方向に沿って多数のルーバ羽が該枠に対して固定状態で、もしくは開閉自在にとりつけられている建物用ルーバにおいて、上記ルーバ羽の中空部に長手方向全長に所定の強度を保持する補強棒材を介在していることを特徴とする建物用ルーバ。【選択図】図１
0003130230.tif 000002
【実用新案登録請求の範囲】
【請求項１】
たて枠間に、または横枠間にその長手方向に沿って多数のルーバ羽が該枠に対して固定状態で、もしくは開閉自在にとりつけられている建物用ルーバにおいて、上記ルーバ羽の中空部に長手方向全長に所定の強度を保持する補強棒材を介在していることを特徴とする建物用ルーバ。
【請求項２】
補強棒材はすべてのルーバ羽の中空部に、もしくは所定位置のルーバ羽の中空部に介在していることを特徴とする請求項１記載の建物用ルーバ。
【考案の詳細な説明】
【技術分野】
【０００１】本考案はルーバ雨戸、ルーバ面格子、ルーバさく等に適用できる建物用ルーバに関するもので、ことに防犯用にすぐれた建物用ルーバに関する。
【背景技術】
【０００２】従来上記用途の建物用ルーバは公知であり、その構成はたて枠と横枠間にルーバ羽が固定状態でとりつけられているもの、あるいは開閉自在にとりつけられているものがある。そして上記ルーバ羽はアルミや合成樹脂等の中空型材で形成されているのが多い。これらルーバの機能は防犯用、プライバシーの維持、確保、通風、換気、採光、遮光等の耐候性にある。
本出願人もルーバ面格子を考案している。
【特許文献１】  特開２００１−３２６４６号公報
【考案の開示】
【考案が解決しようとする課題】
【０００３】ところが上記構成の建物用ルーバは、ルーバ羽がアルミ製の中空型材であれば軽量で、デザイン性に富み、耐候性に優れている等においては長所であるが、反面機械的強度に弱点があり、近年の強悪犯罪者の増加によってルーバ羽が簡単に数分以内でバールや金切り挟みで曲げられたり、切断されたりしてルーバ羽が欠落し、次いで内側のサッシ戸を開けて内部に侵入される事態が発生している。
本考案者は犯罪者の心理を探り、簡単にルーバ羽が欠落しない構造とすることに着目し本考案はこれらの問題点を解決した建物用ルーバを提供する。
【課題を解決するための手段】
【０００４】本考案はつぎの特徴を備えている。
その一つは「たて枠間に、または横枠間にその長手方向に沿って多数のルーバ羽が該枠に対して固定状態で、もしくは開閉自在にとりつけられている建物用ルーバにおいて、上記ルーバ羽の中空部に長手方向全長に所定の強度を保持する補強棒材を介在していることを特徴とする建物用ルーバ」である。【０００５】その二つは「上記構成の建物用ルーバにおいて、補強棒材はすべてのルーバ羽の中空部に、もしくは所定位置のルーバ羽の中空部に介在していることを特徴とする建物用ルーバ」である。
【考案の効果】
【０００６】本考案の建物用ルーバは、すべてのルーバ羽もしくは所定複数位置のルーバ羽の中空部に長手方向全長に所定強度のある補強棒材が介在しているので、たとえばアルミ製のルーバ羽が犯罪者のバールや金切り挟みによる切断によって欠落しても、補強棒材がすべてのルーバ羽の中空部に、または所定複数位置のルーバ羽の中空部に取り付けられており、これらはバールや金切り挟みでは数分以内で簡単に破壊されることがなく、よって強悪犯罪者による室内への侵入が阻止される。【０００７】さらに上記防犯用の補強棒材はルーバ羽の中空部にとりつけているので、外観視されることがなく、意匠性を損なうことがない。かつルーバ羽の強度アップに貢献する。
【考案を実施するための最良の形態】
【０００８】本考案の実施形態を図面を用いて以下に説明する。
図１は本考案の建物用ルーバの一実施例を示す面格子の略正面図である。
１は建物用ルーバで、左右のたて枠２と上下の横枠３からなる方形枠にルーバ羽４がとりつけられている。ルーバ羽４はたて枠２、２間に、その長手方向に沿って多数、該枠に対して開閉自在にとりつけられている。開閉機構は公知である。【０００９】ルーバ羽４は中空偏平状の公知の形状であるが、中空部には長手方向全長に所定強度を保持する補強棒材５を介在している。
図示ではすべてのルーバ羽に補強棒材を介在しているが、所定位置のルーバ羽にのみ補強棒材を設けること、言わば介在することもできる。たとえば長手方向に並設されるルーバ羽において１枚置きに、もしくは２枚ないし３枚置きに補強棒材をとりつけることもできる。【００１０】６はカム、６’は回転軸で、それぞれ一端がルーバ羽に係合し、たて枠に回転自在にとりつけられている。７は前記カムに連動する連結バー、８は該連結バーを作動させる操作部材である。
要は操作部材の操作によって連結バーを上下動させることによりこれに係合しているカムが回動し、同時にそれに係合しているルーバ羽が回動、つまり開閉する。同時に補強棒材も追従して回動する。【００１１】図２は図１に示す建物用ルーバの一部構成の略分解斜視図である。ルーバ羽４は金属製、合成樹脂製等からなり、この実施例はアルミの押出成型品である。４ａは中空部である。この中空部にはルーバ羽の長さとほぼ同長の補強棒材５が介在している。この棒材は鋼製の中実円柱状である。形状、材質等はその他のものでもよい。要は所定の強度を保持することが必要である。金切り挟みやバールによってルーバ羽自体が簡単に破損、欠落しても、補強棒材が所定強度を保持することにより、これの破壊にたとえば５〜１０分以上を要すれば犯罪統計等俗に言う強悪犯罪者の破壊時間５分以内に該当せず該補強棒材の存在によりルーバ羽本体が破損、欠落しても室内への侵入を諦め、断念させる防犯効果を発揮する。【００１２】５ａはネジ孔で、後述のビスが螺着される。２はたて枠、２ａはカムの回転軸の挿着孔である。
６はカム、６ａはビス挿通孔、６ｂは連結バーの係合孔に係合する係合突起、６ｃは回転軸、６ｄはルーバ羽の凸条部４ｂに係止する係止部である。７は連結バー、７ａは係合孔で、上記係合突起６ｂが係合する。９はビスで、カム６のビス挿通孔および回転軸６’のビス挿通孔を貫通して補強棒材のネジ孔５ａに螺着し、補強棒材の横方向の移動を阻止する。【００１３】図３は図２に示すルーバ羽とその中空部に介在している補強棒材の略分解斜視図である。補強棒材５は両端側に回り止めの腕部５ｂをとりつけている。【００１４】図４は図１に示すルーバ羽の閉じた状態の要部断面図である。ルーバ羽４の凸条部４ｂには前記カムの係止部６ｄ、６ｄが係止しており、カムの回転に連動してルーバ羽が回動し、つまりルーバ羽が開閉する。中空部４ａには中央部に補強棒材５が介在している。これの両端側にとりつけている回り止の腕部５ｂがルーバ羽の上下端部に当接状態で設けられるので、補強棒材はルーバ羽の開閉に沿って連動する。【００１５】図５は図１に示すルーバ羽の枠への取付状態を示す略説明図である。
たて枠２、２間にルーバ羽４がカム６、回転軸６’に回転自在にとりつけられている。ルーバ羽４の中空部には腕部５ｂを形成している補強棒材５が介在している。図示より明らかであるが、腕部５ｂの存在により補強棒材はルーバ羽と連動して回動するが、腕部を設けずに補強棒材をビス９によって螺着すれば補強棒材はルーバ羽が回動してもそれに連動せず静止状態である。補強棒材は静止状態、回動状態いずれの構造でも介在することができる。【００１６】図６は本考案ルーバ羽の別の実施例を示す説明図である。
ルーバ羽１０の中空部には補強棒材１１が、その両端の受部材１２に嵌着されており、該受部材の外方突起部がカムや回転軸の係止部に係合している。よって受部材、補強棒材はカムや回転軸と連動する構成である。しかして外方突起部のネジ孔にはビス９がカムや回転軸のネジ挿通孔から挿通されて螺着されている。
この状態でビス頭９ａがカムや回転軸に圧着状態でとりつけられ、カムの回転に連動して受部材１２、補強棒材１１も一体的に回転する。
なお、このビス固定の構成であれば上記した受部材の外方突起部がカムや回転軸に嵌合係止する構成にしなくても上記両部材はカムと一体的に回転する。
さらにまた上記構成においてビス固定を止め、受部材の外方突起部とカムや回転軸の係止部との嵌合係止構造に替えて、外方突起部が係止部に遊嵌状態で支承される構成にすれば、カムの回転に連動してルーバ羽が回転し、そのルーバ羽に係合して受部材および補強棒材が回転する。【００１７】上記補強棒材１１は鋼製等金属製で、長方形状に形成してあり、両端の受部材１２は亜鉛、アルミ等のダイカストである。１０ａはルーバ羽のキャップである。図７の要部断面図に示すとおり、断面長方形状の角形をしている補強棒材１１が受部材１２の凹部に嵌着されている。１０ｂは中空部である。【００１８】図８は本考案ルーバ羽のさらに別の実施例をします略断面図である。
ルーバ羽１３の中空部１３ａ中央にビスホール１３ｂが設けられており、その両側に一対の角形の補強棒材１４を形成している。不図示であるが補強棒材は両端においてルーバ羽のキャップに固定されている。【００１９】以上本考案の実施例について説明したが、本考案はこれに限定されず、本考案の技術思想を逸脱しない範囲の設計変更は可能である。前記しているがルーバ羽の枠への固定あるいは回動つまり開閉構造、ならびに形状、材質などは公知のものを採用できる。また補強棒材の形状、材質これの中空部への取付け方言わば介在の仕方等は所定の補強強度を有する構成であればとくに制限する必要性はない。
【図面の簡単な説明】
【００２０】
【図１】本考案建物用ルーバの一実施例を示す略正面図。
【図２】図１に示す建物用ルーバの一部の構成の略分解斜視図。
【図３】図２に示すルーバ羽と補強棒材の略分解斜視図。
【図４】図１に示すルーバ羽の要部断面図。
【図５】図１に示すルーバ羽の枠への取付状態を示す説明図。
【図６】本考案ルーバ羽の別の実施例を示す説明図。
【図７】図６に示すルーバ羽の要部断面図。
【図８】同じくさらに別の実施例を示す略断面図である。
【符号の説明】
【００２１】１    建物用ルーバ
２    たて枠
２ａ  挿着孔
３    横枠
４    ルーバ羽
４ａ  中空部
４ｂ  凸条部
５    補強棒材
５ａ  ネジ孔
５ｂ  腕部
６    カム
６ａ  ビス挿通孔
６ｂ  係合突起
６ｃ  回転軸部
６ｄ  係止部
６’  回転軸
７    連結バー
７ａ  係合孔
８    操作部材
９    ビス
９ａ  ビス頭
１０  ルーバ羽
１０ａキャップ
１０ｂ中空部
１１  補強棒材
１２  受部材
１３  ルーバ羽
１３ａ中空部
１３ｂビスホール
１４  補強棒材
【図１】
0003130230.tif 000003
【図２】
0003130230.tif 000004
【図３】
0003130230.tif 000005
【図４】
0003130230.tif 000006
【図５】
0003130230.tif 000007
【図８】
0003130230.tif 000008
【図６】
0003130230.tif 000009
【図７】
0003130230.tif 000010